【手続補正書】
【提出日】平成19年10月22日(2007.10.22)
【手続補正１】
【補正対象書類名】明細書
【補正対象項目名】特許請求の範囲
【補正方法】変更
【補正の内容】
【特許請求の範囲】
【請求項１】  信号送信パワーの制御方法において、
受信された信号を復調して復調された信号を生成し、
前記復調された信号を歪ませて歪まされた復調された信号を生成し、
前記歪まされた復調された信号に基づいて信号品質に直接比例した値を表す信号品質測定値を決定し、
前記信号品質測定値に基づいて、
前記決定された信号品質測定値を予め選択されたしきい値と比較し、
前記信号品質測定値が前記しきい値を超えた場合には送信パワーの増加をリクエストするように送信パワーの調節をリクエストし、
前記復調された信号をデコードして決定データを生成し、
前記歪まされた復調された信号を復号して歪みを有する決定データを生成し、
前記歪まされた決定データに基づいて第２の信号品質測定値を決定し、
前記第２の信号品質測定値に基づいて前記しきい値を調節するステップを含んでいる制御方法。
【請求項２】  前記復調された信号を歪ませるステップは、雑音を前記復調された信号に付加して前記歪まされた復調された信号を生成するステップをさらに含んでいる請求項１記載の方法。
【請求項３】  信号品質測定値を決定するステップは、前記歪まされた復調された信号の信号対雑音比を決定するステップをさらに含んでいる請求項１記載の方法。
【請求項４】  調整をリクエストするステップは、前記信号対雑音比に基づいて前記送信パワーの調節をリクエストするステップをさらに含んでいる請求項３記載の方法。
【請求項５】  調整をリクエストするステップはさらに、
前記信号品質測定値が前記しきい値を超えていない場合には送信パワーの減少をリクエストするステップを含んでいる請求項１記載の方法。
【請求項６】  前記第２の信号品質測定値はフレームエラーの測定を含んで
いる請求項１記載の方法。
【請求項７】  前記決定データをデジタルベースバンド回路に与えるステ
ップをさらに含んでいる請求項１記載の方法。
【請求項８】  受信された信号を復調するステップは、前記受信された信号を複数のデータ値と相関して、前記復調された信号を生成するステップをさらに含んでいる請求項１記載の方法。
【請求項９】  受信された信号を復調するステップは、前記復調された信号を量子化して、量子化され復調された信号を生成するステップをさらに含んでおり、信号品質測定値を決定するステップは、前記量子化され復調された信号に基づいて前記信号品質測定値を決定するステップをさらに含んでいる請求項８記載の方法。
【請求項１０】  前記復調された信号は送信された信号の対応するディジットの信頼値の測定値を反映しているソフト決定データを含んでいる請求項１記載の方法。
【請求項１１】  前記復調された信号を歪ませるステップは、前記ソフト決定データを歪ませて、前記信頼値の測定値を減少させるステップをさらに含んでいる請求項１０記載の方法。
【請求項１２】  前記信号は基地局によって送信され、ユーザ端末によって受信され、受信された信号を復調し、前記復調された信号を歪ませ、信号品質測定値を決定し、調整をリクエストする前記ステップはユーザ端末によって実行され、基地局の送信パワーが制御される請求項１記載の方法。
【請求項１３】  前記信号はゲートウェイにより送信され、衛星を介してユーザ端末によって受信され、受信された信号を復調し、前記復調された信号を歪ませ、信号品質測定値を決定し、調整をリクエストする前記ステップはユーザ端末によって実行され、ゲートウェイの送信パワーを制御する請求項１記載の方法。
【請求項１４】  前記信号はユーザ端末によって送信され、基地局によって
受信されて、ユーザ端末の送信パワーを制御する請求項１記載の方法。
【請求項１５】  前記信号はユーザ端末によって送信され、衛星を経てゲー
トウェイによって受信され、受信された信号を復調し、前記復調された信号を歪ませ、信号品質測定値を決定し、調整をリクエストする前記ステップはゲートウェイによって実行され、ユーザ端末の送信パワーを制御する請求項１記載の方法。
【請求項１６】  信号送信パワーの制御方法において、
受信された信号を復調して復調された信号を生成し、
前記復調された信号を歪ませて歪まされた復調された信号を生成し、
前記歪まされた復調された信号に基づいて信号品質に反比例した値を表す信号品質測定値を決定し、
前記信号品質測定値に基づいて、
前記決定された信号品質測定値を予め選択されたしきい値と比較し、
前記信号品質測定値が前記しきい値を超えた場合には送信パワーの減少をリクエストするように送信パワーの調節をリクエストし、
前記復調された信号をデコードして決定データを生成し、
前記歪まされた復調された信号を復号して歪みを有する決定データを生成し、
前記歪まされた決定データに基づいて第２の信号品質測定値を決定し、
前記第２の信号品質測定値に基づいて前記しきい値を調節するステップを含んでいる制御方法。
【請求項１７】  調整をリクエストするステップはさらに、
前記信号品質測定値が前記しきい値を超えていない場合には送信パワーの増加をリクエストするステップを含んでいる請求項１６記載の方法。
【請求項１８】  信号送信パワーを制御する装置において、
受信された信号を復調して復調された信号を生成する復調器（４０１）と、
前記復調された信号を歪ませて歪まされた復調された信号を生成する歪み装置（４１２）と、
前記歪まされた復調された信号に基づいて信号品質測定値を決定する信号品質評価装置（４１８）と、
前記信号品質測定値に基づいて送信パワーの調節をリクエストするパワーコマンド発生器（４２０）と、
前記復調された信号をデコードして決定データを生成するデコーダ（４１０）と、
前記歪まされた復調された信号をデコードして歪まされた決定データを生成するバーチャルデコーダ（４１４）と、
前記歪まされた決定データに基づいて第２の信号品質測定値を決定するエラー検出器（４１６）とを具備しており、
信号品質測定値は信号品質に直接比例する値を表し、前記パワーコマンド生成器（４２０）は、前記信号品質測定値をしきい値と比較し、前記信号品質測定値が前記しきい値を超えた場合には送信パワーの増加をリクエストするパワー制御装置。
【請求項１９】  前記歪み装置（４１２）は雑音を前記復調された信号に付加する請求項１８記載の装置。
【請求項２０】  前記信号品質測定値は信号対雑音比を含んでいる請求項１８記載の装置。
【請求項２１】  前記パワーコマンド決定装置は前記信号対雑音比に基づいて前記調節をリクエストする請求項２０記載の装置。
【請求項２２】  前記パワーコマンド発生器（４２０）は前記信号品質測定値が前記しきい値を超えていない場合には送信パワーの減少をリクエストする請求項１８記載の装置。
【請求項２３】  前記エラー検出器（４１６）により決定された前記第２の信号品質測定値はフレームエラーの測定値である請求項１８記載の装置。
【請求項２４】  前記決定データはデジタルベースバンド回路に与えられる請求項１８記載の装置。
【請求項２５】  前記復調器（４０１）前記受信された信号を複数のデータ値に相関させて前記復調された信号を生成する相関器を具備している請求項１８記載の装置。
【請求項２６】  前記相関器の出力を量子化して、量子化され復調された信号を生成する量子化装置をさらに具備し、前記信号品質評価装置（４１８）は前記量子化され復調された信号に基づいて前記信号品質測定値を決定する請求項２５記載の装置。
【請求項２７】  前記復調された信号は、送信された信号の対応するディジットの信頼値の測定値を反映するソフト決定データを含んでいる請求項１８記載の装置。
【請求項２８】  前記歪み装置（４１２）は前記ソフト決定データを歪ませ、それによって前記信頼値の測定値を減少させる請求項２７記載の装置。
【請求項２９】  前記信号は基地局によって送信され、ユーザ端末によって受信され、前記復調器（４０１）、前記歪み装置（４１２）、前記信号品質評価装置（４１８）、前記パワーコマンド決定装置（４２０）はユーザ端末のコンポーネントであり、基地局の送信パワーが制御される請求項１８記載の装置。
【請求項３０】  前記信号はゲートウェイによって送信され、衛星を介してユーザ端末によって受信され、前記復調器（４０１）、前記歪み装置（４１２）、前記信号品質評価装置（４１８）、前記パワーコマンド決定装置（４２０）はユーザ端末のコンポーネントであり、ゲートウェイの送信パワーが制御される請求項１８記載の装置。
【請求項３１】  前記信号はユーザ端末によって送信され、基地局によって受信され、ユーザ端末の送信パワーが制御される請求項１８記載の装置。
【請求項３２】  前記信号はユーザ端末によって送信され、衛星を介してゲートウェイによって受信され、前記復調器(４０１）、前記歪み装置（４１２）、前記信号品質評価装置（４１８）、前記パワーコマンド決定装置（４２０）はゲートウェイのコンポーネントであり、ユーザ端末の送信パワーが制御される請求項１８記載の装置。
【請求項３３】  信号送信パワーを制御する装置において、
受信された信号を復調して復調された信号を生成する復調器（４０１）と、
前記復調された信号を歪ませて歪まされた復調された信号を生成する歪み装置（４１２）と、
前記歪まされた復調された信号に基づいて信号品質測定値を決定する信号品質評価装置（４１８）と、
前記信号品質測定値に基づいて送信パワーの調節をリクエストするパワーコマンド発生器（４２０）と、
前記復調された信号をデコードして決定データを生成するデコーダ（４１０）と、
前記歪まされた復調された信号をデコードして歪まされた決定データを生成するバーチャルデコーダ（４１４）と、
前記歪まされた決定データに基づいて第２の信号品質測定値を決定するエラー検出器（４１６）とを具備しており、
信号品質測定値は信号品質に反比例する値を表し、前記パワーコマンド生成器（４２０）は、前記信号品質測定値をしきい値と比較し、前記信号品質測定値が前記しきい値を超えた場合には送信パワーの減少をリクエストするパワー制御装置。
【請求項３４】  前記パワーコマンド発生器（４２０）は前記信号品質測定値が前記しきい値を超えていない場合には送信パワーの増加をリクエストする請求項３３記載の装置。
【請求項３５】  前記第２の信号品質測定値に基づいて前記しきい値を調節する手段をさらに具備している請求項１８または３３記載の装置。